(57)【要約】【課題】水路の水流で水車を回転させ、その回転力で水路を流れる塵芥を良好に捕捉して排出する。【解決手段】水路Ｃの水流Ｆで回転する水車１０と、水車１０の下流側に設けられ、水車１０の回転力により、連動部材２０を介して、軸３１を中心に回転する動力伝達板３０と、動力伝達板３０の下流側の水路Ｃ内に設けられ、塵芥を受け止める複数のスリット４１が形成されたバースクリーン４０と、バースクリーン４０に近接した上流側に昇降動自在に設けられ、スリット４１に入り込んで塵芥を上載するツメ部５１を有する掻き揚げ機５０と、一端部が動力伝達板３０の端部に連結され、他端部が掻き揚げ機５０に滑車６０を介して連結されたワイヤー７０を備える。【選択図】図１
2019007140.tif 000002
【特許請求の範囲】
【請求項１】
水路の水流によって回転する水車と、
前記水車の下流側に設けられ、前記水車の回転力により、連動部材を介して、前記水路の幅方向に延びる軸周りに回転する動力伝達板と、
前記動力伝達板の下流側の前記水路内に設けられ、塵芥を受け止める、櫛状に複数のスリットが形成されたバースクリーンと、
前記バースクリーンに近接した上流側に昇降動自在に設けられ、前記バースクリーンのスリットに入り込み塵芥を上載するツメ部を有する掻き揚げ機と、
一端部が前記動力伝達板の端部に連結され、他端部が前記掻き揚げ機に、前記掻き揚げ機の上方に位置する滑車を介して連結されたワイヤーを備え、
前記水車の回転力によって、前記動力伝達板を回転させて前記ワイヤーを移動させて前記掻き揚げ機を昇降動させ、前記ツメ部に上載した塵芥を上方に搬送可能にしたことを特徴とする水力駆動除塵装置。
【請求項２】
水路の水流によって回転する水車と、
前記水車の下流側に設けられ、前記水車の回転力により、連動部材を介して、前記水路の幅方向に延びる軸周りに回転する動力伝達板と、
前記動力伝達板の下流側の前記水路内に設けられ、塵芥を受け止める、櫛状に複数のスリットが形成されたバースクリーンと、
前記バースクリーンに近接した上流側に昇降動自在に設けられ、前記バースクリーンのスリットに入り込み塵芥を上載するツメ部を有する掻き揚げ機と、
一端部が前記動力伝達板の第一の端部に連結され、他端部が前記掻き揚げ機の上部に、前記掻き揚げ機の上方に位置する第一の滑車を介して連結された第一のワイヤーと、
一端部が前記動力伝達板の第二の端部に連結され、他端部が前記掻き揚げ機の下部に、前記掻き揚げ機の上方に位置する第二の滑車及び前記掻き揚げ機の下方に位置する第三の滑車を介して連結された第二のワイヤーを備え、
前記水車の回転力によって、前記動力伝達板を回転させて前記第一のワイヤー及び第二のワイヤーを交互逆方向に移動させて前記掻き揚げ機を昇降動させ、前記ツメ部に上載した塵芥を上方に搬送可能にしたことを特徴とする水力駆動除塵装置。
【請求項３】
前記バースクリーンの下流側の水路の上部に前記水路と独立した集塵水路を形成し、前記ツメ部に上載した塵芥を、前記集塵水路まで搬送可能にしたことを特徴とする請求項１又は２に記載の水力駆動除塵装置。
【請求項４】
前記ツメ部を、ヒンジ式に設け、前記掻き揚げ機が上昇移動する際には、上載する塵芥の重量で前記バースクリーンのスリットに入り込んだ突出状態とし、下降移動する際は下から受ける水圧によって非突出状態とすることを特徴とする請求項１乃至３のうちいずれか一つに記載の水力駆動除塵装置。
【請求項５】
前記掻き揚げ機の昇降動をガイドするガイド部を設けたことを特徴とする請求項１乃至４のうちいずれか一つに記載の水力駆動除塵装置。
【発明の詳細な説明】
【技術分野】
【０００１】
本発明は、水力駆動除塵装置に関する。より詳細には、水路の水流によって回転する水車の回転力を利用して、水路に溜まった塵芥を掻き揚げて排出する装置に関するものである。
【背景技術】
【０００２】
例えば水力発電に使用する水路には、その水路を流れてくる塵芥を除去するための除塵装置が設けられている。
従来の除塵装置には、水路の下流側に水車を設けると共に、その下流側にレーキを有する掻き揚げコンベアを設け、水車を水路の水流によって回転させ、その回転力で掻き揚げコンベアを周回させ、周回する掻き揚げコンベアのツメ部で水路を流れてくる塵芥を捕捉するものが開示されている（例えば、特許文献１参照）。
【０００３】
また、水路に、水車とツメ部を持つ掻き揚げコンベアとスクリーンを設け、水車を水路の水流によって回転させ、その回転力で掻き揚げコンベアを周回させ、周回する掻き揚げコンベアのツメ部でスクリーンに付着した塵芥を捕捉するものも開示されている（例えば、特許文献２参照）。
【先行技術文献】
【特許文献】
【０００４】
【特許文献１】特開２０１１−８４８７０号公報
【特許文献２】特開２０１４−３１６２４号公報
【発明の概要】
【発明が解決しようとする課題】
【０００５】
しかしながら、特許文献１に記載の除塵装置は、周回する掻き揚げコンベアのツメ部で水路を流れてくる塵芥を捕捉する構成であるため、掻き揚げコンベアの両側を流れる塵芥は捕捉することができない。
また、水車の上流側に掻き揚げコンベアを設けているので、掻き揚げコンベアによって水流の速度が低下する。従って、水車を効果的に回転させることができず、その結果、掻き揚げコンベアも効率的に周回させることができず、塵芥を良好に捕捉することができない。
【０００６】
また、特許文献２に記載の除塵装置は、周回する掻き揚げコンベアのツメ部でスクリーンに付着した塵芥を捕捉する構成であるため、スクリーンの前側（上流側）には掻き揚げコンベアの上昇する部分のみでなく、必然的に下降する部分も存在したいわゆる二重ベルト構造が形成される。そのため、下降するベルト部分のツメ部も塵芥を捕捉してしまい、掻き揚げコンベアとスクリーンの下端部との間に多量の塵芥が噛み込まれてしまう。その結果、掻き揚げコンベアの作動不良が発生し、塵芥を良好に捕捉することができない。
【０００７】
そこで、本発明の目的とするところは、水路の水流を利用して水車を回転させ、その回転力を利用して水路を流れる塵芥を良好に捕捉して排出することのできる水力駆動除塵装置を提供することにある。
【課題を解決するための手段】
【０００８】
上記の目的を達成するために、本発明の水力駆動除塵装置は、水路（Ｃ）の水流（Ｆ）によって回転する水車（１０）と、前記水車（１０）の下流側に設けられ、前記水車（１０）の回転力により、連動部材（２０）を介して、前記水路（Ｃ）の幅方向に延びる軸（３１）の周りに回転する動力伝達板（３０）と、前記動力伝達板（３０）の下流側の前記水路（Ｃ）内に設けられ、塵芥を受け止める、櫛状に複数のスリット（４１）が形成されたバースクリーン（４０）と、前記バースクリーン（４０）に近接した上流側に昇降動自在に設けられ、前記バースクリーン（４０）のスリット（４１）に入り込み塵芥を上載するツメ部（５１）を有する掻き揚げ機（５０）と、一端部が前記動力伝達板（３０）の端部に連結され、他端部が前記掻き揚げ機（５０）に、前記掻き揚げ機（５０）の上方に位置する滑車（６０）を介して連結されたワイヤー（７０）を備え、前記水車（１０）の回転力によって、前記動力伝達板（３０）を回転させて前記ワイヤー（７０）を移動させて前記掻き揚げ機（５０）を昇降動させ、前記ツメ部（５１）に上載した塵芥を上方に搬送可能にしたことを特徴とする。
【０００９】
また、本発明は、水路（Ｃ）の水流（Ｆ）によって回転する水車（１０）と、前記水車（１０）の下流側に設けられ、前記水車（１０）の回転力により、連動部材（２０）を介して、前記水路（Ｃ）の幅方向に延びる軸（３１）の周りに回転する動力伝達板（３０）と、前記動力伝達板（３０）の下流側の前記水路（Ｃ）内に設けられ、塵芥を受け止める、櫛状に複数のスリット（４１）が形成されたバースクリーン（４０）と、  前記バースクリーン（４０）に近接した上流側に昇降動自在に設けられ、前記バースクリーン（４０）のスリット（４１）に入り込み塵芥を上載するツメ部（５１）を有する掻き揚げ機（５０）と、一端部が前記動力伝達板（３０）の第一の端部（３０ａ）に連結され、他端部が前記掻き揚げ機（５０）の上部に、前記掻き揚げ機（５０）の上方に位置する第一の滑車（６１）を介して連結された第一のワイヤー（７１）と、一端部が前記動力伝達板（３０）の第二の端部（３０ｂ）に連結され、他端部が前記掻き揚げ機（５０）の下部に、前記掻き揚げ機（５０）の上方に位置する第二の滑車（６２）及び前記掻き揚げ機（５０）の下方に位置する第三の滑車（６３）を介して連結された第二のワイヤー（７２）を備え、前記水車（１０）の回転力によって、前記動力伝達板（３０）を回転させて前記第一のワイヤー（７１）及び第二のワイヤー（７２）を交互逆方向に移動させて前記掻き揚げ機（５０）を昇降動させ、前記ツメ部（５１）に上載した塵芥を上方に搬送可能にしたことを特徴とする。
【００１０】
また、本発明は、前記バースクリーン（４０）の下流側の水路（Ｃ）の上部に前記水路（Ｃ）と独立した集塵水路（Ｄ）を形成し、前記ツメ部（５１）に上載した塵芥を、前記集塵水路（Ｄ）まで搬送可能にしたことを特徴とする。
【００１１】
また、本発明は、前記ツメ部（５１）を、ヒンジ式に設け、前記掻き揚げ機（５０）が上昇移動する際には、上載する塵芥の重量で前記バースクリーン（４０）のスリット（４１）に入り込んだ突出状態とし、下降移動する際は下から受ける水圧によって非突出状態とすることを特徴とする。
【００１２】
さらに、本発明は、前記掻き揚げ機（５０）の昇降動をガイドするガイド部（８０）を設けたことを特徴とする。
【００１３】
なお、カッコ内の記号は、図面および後述する発明を実施するための形態に記載された対応要素または対応事項を示す。
【発明の効果】
【００１４】
本発明によれば、水路の水流によって回転する水車と、水車の回転力により、連動部材を介して回転する動力伝達板と、複数のスリットが形成されたバースクリーンと、バースクリーンのスリットに入り込み、塵芥を上載するツメ部を有する掻き揚げ機と、一端部が動力伝達板の端部に連結され、他端部が掻き揚げ機に、その上方に位置する滑車を介して連結されたワイヤーを備えるので、水車の回転力によって、動力伝達板を回転させてワイヤーを移動させて掻き揚げ機を昇降動させ、そのツメ部に上載した塵芥を上方に搬送することができる。
これにより、水路の水流を利用して水車を回転させ、水路を流れる塵芥を良好に捕捉して排出することができる。なお、掻き揚げ機の上昇移動は、ワイヤーの移動で行うが、下降移動は掻き揚げ機の自重によって行うことができる。
【００１５】
また、本発明によれば、水路の水流によって回転する水車と、水車の回転力により、連動部材を介して回転する動力伝達板と、複数のスリットが形成されたバースクリーンと、バースクリーンのスリットに入り込み塵芥を上載するツメ部を有する掻き揚げ機と、一端部が動力伝達板の第一の端部に連結され、他端部が掻き揚げ機の上部に、その上方に位置する第一の滑車を介して連結された第一のワイヤーと、一端部が動力伝達板の第二の端部に連結され、他端部が掻き揚げ機の下部に、その上方に位置する第二の滑車及びその下方に位置する第三の滑車を介して連結された第二のワイヤーを備えるので、水車の回転力によって、動力伝達板を回転させて第一のワイヤー及び第二のワイヤーを交互逆方向に移動させて掻き揚げ機を昇降動させることができる。
これにより、ツメ部に上載した塵芥を上方に搬送することができる。従って、水路の水流を利用して水車を回転させ、その回転力を利用して水路を流れる塵芥を良好に捕捉して排出することができる。
【００１６】
また本発明によれば、バースクリーンの下流側の水路の上部に水路と独立した集塵水路を形成し、ツメ部に上載した塵芥を、集塵水路まで搬送可能にしたので、掻き揚げ機のツメ部で捕捉した塵芥を集塵水路に排出することができる。これにより、水路を流れる塵芥をさらに良好に排出することができる。
【００１７】
また本発明によれば、ツメ部をヒンジ式に設け、掻き揚げ機が上昇移動する際には、上載する塵芥の重量でバースクリーンのスリットに入り込んだ突出状態とし、下降移動する際は下から受ける水圧によって非突出状態としたので、複雑な機構を必要とせず、簡易なヒンジ機構のみによって、ツメ部を突出状態と非突出状態にすることができる。
【００１８】
また、ツメ部を下降移動する際に非突出状態とするので、スリットに溜まった塵芥を押し下げてしまい、その塵芥をバースクリーンの下端部や、掻き揚げ機とバースクリーンの下端部との間に噛み込ませてしまうといった事態を未然に防止することができる。これにより、塵芥をさらに良好に排出することができる。
【００１９】
さらに、本発明によれば、掻き揚げ機の昇降動をガイドするガイド部を設けたので、掻き揚げ機を円滑に昇降動させることができる。従って、塵芥をさらに良好に排出することができる。
【図面の簡単な説明】
【００２０】
【図１】本発明の実施形態に係る水力駆動除塵装置の実施形態を示す概略斜視図である。
【図２】本発明の実施形態に係る水力駆動除塵装置の実施形態を示す概略側面図である。
【図３】本発明の実施形態に係る水力駆動除塵装置の概略平面図である。
【図４】本発明の実施形態に係る水力駆動除塵装置の動作を示す一部拡大図である（掻き揚げ機が下降限にある状態を示す）。
【図５】本発明の実施形態に係る水力駆動除塵装置の動作を示す一部拡大図である（掻き揚げ機が上昇限にある状態を示す）。
【図６】本発明の実施形態に係る水力駆動除塵装置において、掻き揚げ機とガイド部との関係を示す拡大正面図である。
【図７】本発明の実施形態に係る水力駆動除塵装置において、掻き揚げ機のツメ部とバースクリーンのスリットとの関係を示す拡大正面図である。
【図８】本発明の実施形態に係る水力駆動除塵装置において、掻き揚げ機のツメ部の動作を示す拡大側面図である。
【図９】本発明の他の実施形態に係る水力駆動除塵装置を示す要部概略側面図である。
【図１０】本発明のさらに他の実施形態に係る水力駆動除塵装置を示す要部概略側面図である。
【発明を実施するための形態】
【００２１】
図１乃至図８を参照して、本発明の第一実施形態に係るについて説明する。図１及び図２は水力駆動除塵装置１の概略斜視図及び概略側面図であり、図３はその平面図である。
【００２２】
本発明の一実施形態に係る水力駆動除塵装置１は、水力発電に使用する水路Ｃなどに設置して使用するものであり、水車１０、連動部材２０、動力伝達板３０、バースクリーン４０、掻き揚げ機５０、およびワイヤー７０（第一のワイヤー７１および第二のワイヤー７２）を備える。
【００２３】
水車１０は、水路Ｃに、その下部を水中（水面Ｓの下）に浸漬した状態で設けられ、水路Ｃの幅方向に沿って設けたシャフト１１を中心にして水流Ｆによって回転する。この水車１０は、図１及び図３に示すように、同じ大きさのものをシャフト１１に二つ並列して取付け、両者の間に、それよりも小径で同心円板状の駆動板１２を設けている。
【００２４】
動力伝達板３０は、水車１０の下流側の水路Ｃの直上（水面Ｓの上）に設けられ、水車１０の回転力により連動部材２０を介して回転する。この動力伝達板３０は円板状に設定され、図３に示すように、水路Ｃの幅方向に延びる軸３１に並列して二つ取付け、その軸３１を中心にして回転する。二つの動力伝達板３０の間には、それよりも小径で同心円板状の従動板３２を設けている。
連動部材２０は、チェーンなどの通常の部材で構成することができ、水車１０の駆動板１２と動力伝達板３０の従動板３２との間に懸架される。駆動板１２は従動板３２よりも小径とし、より大きな回転力を従動板３２に伝え、動力伝達板３０を確実に回転させるようにしている。
【００２５】
バースクリーン４０は、動力伝達板３０の下流側の水路Ｃ内に設けられたもので、複数の櫛状のスリット４１を縦方向に有し、このスリット４１およびその周囲で塵芥を受け止めると共に、スリット４１を通して水を下流側に流す。
バースクリーン４０の上部には排出開口部４２を形成し、それを通して、掻き揚げ機５０のツメ部５１に上載された塵芥を下流側に排出する。
【００２６】
掻き揚げ機（レーキを使用）５０は、バースクリーン４０に近接した上流側に昇降動自在に設けられ、バースクリーン４０のスリット４１に入り込んで塵芥を上載する複数のツメ部５１を有する。複数のツメ部５１は、それらの基端が、並列して設けられた二つのツメ基板５１ａにそれぞれ一体的に設けられる。
すなわち、この掻き揚げ機５０は、図６乃至図８に示すように、横断面略コの字状の掻き揚げ本体５５と、その上面に四つの取付部５４を介して回動自在に取付けられた二つのツメ基板５１ａのそれぞれに一体的に設けた複数のツメ部５１と、掻き揚げ本体５５の左右両側面のそれぞれに回転自在に上下方向に設けた一対のローラー５６とで構成される。
【００２７】
複数のツメ部５１を持つツメ基体５１ａは、略三角形状の基部５２に一体的に設けられ、この基部５２を、掻き揚げ本体５５の上端に固定した取付部５４に、回転軸５３によっていわゆるヒンジ式（ピボットヒンジ式）に回動自在に取付けている。
従って、ツメ部５１（ツメ部５１とツメ基体５１ａの一体物。以下、単にツメ部５１と言う）は、掻き揚げ機５０が上昇移動する際には、上載する塵芥の重量でほぼ水平状態を形成し、バースクリーン４０のスリット４１に入り込む。ツメ部５１の水平状態は、基部５２の下端部５２ａが掻き揚げ本体５５の上面に当接することにより維持される。また、ツメ部５１は、掻き揚げ機５０が下降移動する際は、下から受ける水圧によってほぼ直立した非突出状態となり、スリット４１から抜け出す。
【００２８】
また、掻き揚げ機５０の左右両側の近傍にはガイド部８０を設けている。このガイド部８０は平断面コ字状であり、その内部に掻き揚げ機５０のローラー５６を侵入させて、掻き揚げ機５０の昇降動をガイドする。
【００２９】
第一のワイヤー７１は、図３及び図４に示すように、その一端部が一方の動力伝達板３０の第一の端部３０ａに連結され、他端部が掻き揚げ機５０の基部５２の上部の中心部分に、掻き揚げ機５０の上方に位置する第一の滑車６１を介して連結される。
【００３０】
また、第二のワイヤー７２は、その一端部が他方の動力伝達板３０の第二の端部３０ｂに連結され、他端部が掻き揚げ機５０の基部５２の下部の中心部分に、掻き揚げ機５０の上方に位置する第二の滑車６２及び掻き揚げ機５０の下方に位置する第三の滑車６３を介して連結される。第一の端部３０ａと第二の端部３０ｂは、動力伝達板３０の軸３１を中心にして、側面視で正対する。
【００３１】
また、本実施形態では、バースクリーン４０の下流側の水路Ｃの上部に、水路Ｃとは独立した集塵水路Ｄを、水路Ｃとほぼ直交する方向に形成しており、ツメ部５１に上載した塵芥を、バースクリーン４０の排出開口部４２を通してこの集塵水路Ｄに排出する。
【００３２】
本実施形態に係る水力駆動除塵装置１は、次のように作動する。
まず、図４に示すように、掻き揚げ機５０が下降限に位置している状態において、水車１０が、水路Ｃの水流Ｆによって反時計回り方向へ回転すると、この回転力が、連動部材２０によって、水車１０の駆動板１２から動力伝達板３０の従動板３２に伝達され、動力伝達板３０が同様に反時計回り方向へ回転する。
【００３３】
動力伝達板３０が反時計回り方向に回転すると、第一のワイヤー７１が上流側へ引っ張られ、第一の滑車６１を介して掻き揚げ機５０を上昇移動させると同時に、第二のワイヤー７２が下流側へ緩み、第二の滑車６２と第三の滑車６３を介して掻き揚げ機５０の上昇移動を許容する。これにより、掻き揚げ機５０は上昇移動することができる。
この際、掻き揚げ機５０は、ガイド部８０によってガイドされているので円滑な上昇移動が可能となる。
【００３４】
掻き揚げ機５０が上昇移動を開始すると、その本体部にピボットヒンジ式に連結されている複数のツメ部５１は、バースクリーン４０の下端部に存在する塵芥および上からの水圧によって、回転軸５３を中心に下方に回動してほぼ水平姿勢を形成する。ほぼ水平姿勢を形成したツメ部５１はバースクリーン４０のスリット４１に入り込み、その状態で上昇移動する。このツメ部５１のほぼ水平姿勢は、前記したように、基部５２の下端部５２ａが掻き揚げ本体５５の上面に当接することにより維持される。
【００３５】
これにより、ツメ部５１は、スリット４１およびその周囲に溜まっている塵芥を上載して上昇移動を続けて、図５に示す上昇限に達する際に、塵芥を、水流Ｆによって、バースクリーン４０の上端部に形成した排出開口部４２を通して集塵水路Ｄに排出する。集塵水路Ｄに排出された塵芥は、そこを流れた後、所定の場所で回収される。
【００３６】
掻き揚げ機５０が上昇限にある状態から、水車１０が連続的に反時計回り方向への回転を続けると、第一のワイヤー７１が下流側に緩むと同時に、第二のワイヤー７２が上流側に引っ張られ、掻き揚げ機５０を第二の滑車６２および第三の滑車６３を介して引っ張って下降移動させる。この際、掻き揚げ機５０のツメ部５１は、下から受ける水圧によって回転軸５３を中心に上方に回動し、ほぼ直立姿勢を形成し、スリット４１から抜け出す。なお、掻き揚げ機５０が下降するときに、スリット４１およびその周囲に塵芥が溜まっていると、ツメ部５１の下部にあたるのでツメ部５１は下から受ける水圧とともに塵芥の抵抗によっても回転軸５３を中心に上方に回動し、塵芥に引っ掛かり動きが止まることが防止されている。
【００３７】
なお、ツメ部５１がスリット４１から抜け出すため、ツメ部５１がスリット４１やその周囲の塵芥を押し下げてしまうことがない。従って、塵芥がバースクリーン４０の下端部に噛み込んだり、バースクリーン４０と掻き揚げ機５０との間に噛み込んでしまうという事態を未然に防止することができる。
【００３８】
このように、水車１０を連続的に回転させることによって、第一のワイヤー７１と第二のワイヤー７２を交互に逆方向に移動させて掻き揚げ機５０を連続的に昇降動させ、ツメ部５１に塵芥を上載して上昇限まで搬送し、集塵通路を通して排出することができる。
【００３９】
なお、水車１０の上流側に粗目スクリーン９０を配置し、それによって掻き揚げ機５０で捕捉することができない大型の流下物を回収することができる。
また、粗目スクリーン９０を通過したロープなどの流下物が掻き揚げ機５０に絡まることも想定されるため、摩擦式トルクリミッターを取り付けて、動力伝達板３０が過負荷によって空回りする構成とすることができる。この動力伝達板３０は固定状態で設けるが、移動機構（図示せず）を設けてその固定位置を自在に変更できる構成として、掻き揚げ機５０の移動範囲を微調整することもできる。
【００４０】
また、水車１０は、水路Ｃの水位が下がって良好に回転しないことが想定される。そうした事態に対処するために、水車１０に昇降機構（図示せず）を取付け、水位に合わせて上下動させる構成とすることができる。また、水車１０に近接してモーターを設けることもできる。その場合、水路Ｃの水流Ｆとモーターとによって、あるいはモーターのみによって水車１０を回転させることができる。
【００４１】
連動部材２０はチェーンで形成することが好ましいが、それに限定されず、ロット棒など他の部材で構成することができる。また、動力伝達板３０の形状は限定されず、例えば、図９に示すような長尺板状とすることもできる。
【００４２】
また、上記実施形態では、掻き揚げ機５０を第一のワイヤー７１と第二のワイヤー７２を使用して昇降動させているが、図１０に示すように、一本のワイヤー７０で昇降動させることもできる。この場合、掻き揚げ機５０の上昇移動を一本のワイヤー７０で行い、その下降移動は掻き揚げ機５０の自重によって行うことができる。
【００４３】
また、掻き揚げ機５０は、一本のワイヤーあるいは二本のワイヤーで昇降動させるいずれの場合でも、重り部材や浮き部材を取り付け、重り部材によってその下降移動を容易にし、浮き部材によってその上昇移動を容易にすることができる。ワイヤー７０は、いわゆるワイヤーの他にチェーンなどの他の線状の部材で構成することができる。
【００４４】
また、集塵水路Ｄは、その内面に金ごて仕上げを施したり、ステンレス板を貼り付けるなどして円滑面とし、枯れ葉などの塵芥を容易に除去できる構造とすることができる。なお、集塵水路Ｄを形成することに代えて、あるいはそれと共に、図２に示すように、バースクリーン４０の上端部の下流側に塵芥集積部Ｇを形成し、そこにツメ部５１に上載した塵芥を排出することもできる。
【００４５】
本実施形態に係る水力駆動除塵装置１は、以下の作用効果を発揮する。
（１）水車１０を水路Ｃを流れる水流Ｆで回転させるので、極めて経済的である。
（２）水車１０の上流側に、従来技術のように、水流Ｆを妨げるコンベア等を設けないので、水車１０を水流Ｆによって円滑に回転させることができる。これにより、掻き揚げ機５０も円滑に昇降動させることができ、塵芥を良好に捕捉して排出することができる。
【００４６】
（３）掻き揚げ機５０は、バースクリーン４０の前側を昇降動する構造であり、かつ、ツメ部５１は、下降移動する際にほぼ直立姿勢を形成するので、下降移動するツメ部５１によってバースクリーン４０に溜まった塵芥を押し下げることがない。従って、塵芥の噛み込みをなくし、良好に排出することができる。
（４）掻き揚げ機５０が上昇移動する際に、そのツメ部５１をバースクリーン４０のスリット４１に入り込ませるので、スリット４１あるいはその周囲に溜まった塵芥を容易に捕捉して排出することができる。
【００４７】
（５）ツメ部５１の回動は、回転軸５３を設けたヒンジ式（ピボットヒンジ式）で行うので、その構成が簡易であり、製造および維持管理が容易である。
（６）ガイド部８０を設けたので、掻き揚げ機５０の昇降動を円滑とし、塵芥をより効果的に捕捉して排出することができる。
（７）バースクリーン４０に排出開口部４２を設けると共に集塵水路Ｄを設け、水路Ｃの水流Ｆを利用して、ツメ部５１に上載した塵芥を、排出開口部４２を通して集塵水路Ｄに排出するので、塵芥を自動的に排出することができる。従って、塵芥をさらに良好に排出することができる。
【符号の説明】
【００４８】
１      水力駆動除塵装置
１０      水車
１１      シャフト
１２      駆動板
２０      連動部材
３０      動力伝達板
３０ａ    第一の端部
３０ｂ    第二の端部
３１      軸
３２      従動板
４０      バースクリーン
４１      スリット
４２      排出開口部
５０      掻き揚げ機
５１      ツメ部
５１ａ    ツメ基板
５２      基部
５２ａ    下端部
５３      回転軸
５４      取付部
５５      掻き揚げ本体
５６      ローラー
６０      滑車
６１      第一の滑車
６２      第二の滑車
６３      第三の滑車
７０      ワイヤー
７１      第一のワイヤー
７２      第二のワイヤー
８０      ガイド部
９０      粗目スクリーン
Ｃ      水路
Ｄ      集塵水路
Ｆ      水流
Ｇ      塵芥集積部
Ｓ      水面
【図１】
2019007140.tif 000003
【図２】
2019007140.tif 000004
【図３】
2019007140.tif 000005
【図４】
2019007140.tif 000006
【図５】
2019007140.tif 000007
【図６】
2019007140.tif 000008
【図７】
2019007140.tif 000009
【図８】
2019007140.tif 000010
【図９】
2019007140.tif 000011
【図１０】
2019007140.tif 000012